(57)【要約】【課題】タブレット端末を着脱可能に車両内部に取り付けることができるタブレット端末ホルダーを提供する。【解決手段】タブレット端末ホルダー１を、平板状のベース板１１、及びベース板１１を設置面より高い位置に支持する支持部１２を備えており、車両のダッシュボードの凹状スペースに挿入される基体１０と、ベース板１１に設けられた雌ネジ部１４にベース板１１の下方から螺合し、雌ネジ部１４を貫通して進退する雄ネジ部３０と、タブレット端末の下端縁を保持する下保持部２７、及び、タブレット端末の上端縁を保持する上保持部２１を備えて基体１０に取り付けられており、下保持部２７及び上保持部２１の少なくとも一方の弾性変形により下保持部２７と上保持部２１との間隔が広がる端末保持フレーム２０とを、具備する構成とする。【選択図】図１
2015047966.tif 000002
【特許請求の範囲】
【請求項１】
平板状のベース板、及び該ベース板を設置面より高い位置に支持する支持部を備えており、車両のダッシュボードの凹状スペースに挿入される基体と、
前記ベース板に設けられた雌ネジ部に前記ベース板の下方から螺合し、前記雌ネジ部を貫通して進退する雄ネジ部と、
タブレット端末の下端縁を保持する下保持部、及び、タブレット端末の上端縁を保持する上保持部を備えて前記基体に取り付けられており、前記下保持部及び前記上保持部の少なくとも一方の弾性変形により前記下保持部と前記上保持部との間隔が広がる端末保持フレームと
を具備することを特徴とするタブレット端末ホルダー。
【請求項２】
前記端末保持フレームは、前記ベース板に平行な支軸によって回動可能に前記基体に支持されている一対の縦フレームを有しており、
一対の該縦フレームの少なくとも一方は、前記支軸を中心とする円弧状の外形を呈した円弧状部を有していると共に、該円弧状部の外周に沿って形成された複数の凹部を有しており、
前記基体は、該基体から突出しており、前記端末保持フレームの前記支軸周りの回動に伴い複数の前記凹部の一つと係合し、前記端末保持フレームの回動角度を複数段階で規制する凸部を有している
ことを特徴とする請求項１に記載のタブレット端末ホルダー。
【請求項３】
前記雌ネジ部を貫通した前記雄ネジ部の先端に螺合させる第二雌ネジ部、及び、該第二雌ネジ部から前記雄ネジ部と同一方向に延びた軸棒部を有している補助ネジを、更に具備する
ことを特徴とする請求項１または請求項２に記載のタブレット端末ホルダー。
【発明の詳細な説明】
【技術分野】
【０００１】
本発明は、タブレット端末を車両内部に取り付けるためのタブレット端末ホルダーに関するものである。
【背景技術】
【０００２】
近年広く普及してきているタブレット端末は、一般的にＧＰＳ機能を備えており、ナビゲーションシステムとして使用することができる。一方、車両に装備される固定式カーナビゲーションシステムは、概して高価である上、地図情報の更新の点ではタブレット端末より劣っている。
【０００３】
そこで、普段携帯しているタブレット端末を、車両を使用する際に車両内部に取り付けることができれば、最新の地図情報を利用するカーナビゲーションシステムとして、使用することができると考えられる。例えば、タブレット端末の情報検索機能を使用して開店したばかりの店舗をインターネットで検索し、検索された店舗までの経路をナビゲーションシステムに案内させることが可能となる。
【０００４】
また、タブレット端末を車両内部に取り付けることにより、音楽ファイルや画像ファイルを車両内で再生するカーオーディオシステムとしても使用することができる。更にタブレット端末など携帯情報端末向けに種々のアプリケーションソフトが提供されているため、種々のサービスを車両内部でも享受することができると期待される。
【発明の概要】
【発明が解決しようとする課題】
【０００５】
そこで、本発明は、上記の実情に鑑み、タブレット端末を着脱可能に車両内部に取り付けることができるタブレット端末ホルダーの提供を、課題とするものである。
【課題を解決するための手段】
【０００６】
上記の課題を解決するため、本発明にかかるタブレット端末ホルダーは、「平板状のベース板、及び該ベース板を設置面より高い位置に支持する支持部を備えており、車両のダッシュボードの凹状スペースに挿入される基体と、前記ベース板に設けられた雌ネジ部に前記ベース板の下方から螺合し、前記雌ネジ部を貫通して進退する雄ネジ部と、タブレット端末の下端縁を保持する下保持部、及び、タブレット端末の上端縁を保持する上保持部を備えて前記基体に取り付けられており、前記下保持部及び前記上保持部の少なくとも一方の弾性変形により前記下保持部と前記上保持部との間隔が広がる端末保持フレームとを具備する」ものである。
【０００７】
「車両のダッシュボードの凹状スペース」は、オーディオ機器やカーナビゲーション機器を装着するために、ダッシュボードに設けられているスペースを指している。オーディオ機器やカーナビゲーション機器の互換性を高めるために、ドイツ工業規格（ＤＩＮ）で規格化されたサイズのスペースを設けたダッシュボードが、国内外の多くの車種で採用されている。
【０００８】
「支持部」としては、一対の平板状で、ベース板を挟み込むように支持しベース板と共にＨ字形を呈する構成、一対の平板状で、ベース板を載置するように支持しベース板と共に下方に開口したコ字形を呈する構成、ベース板を下方から支持する複数の支柱からなる構成、を例示することができる。
【０００９】
「雌ネジ部」としては、ベース板を貫通する孔部の内周にネジ溝が刻まれた構成、ベース板に貫通孔が穿設されており、その貫通孔に雌ネジ孔が連通するようにベース板にナットが固着された構成、を例示することができる。
【００１０】
「端末保持フレーム」としては、一対の縦フレームがパネルで連結された構成、一対の縦フレームが複数の横フレームで連結された構成、一枚のパネル状の構成、を例示することができる。また、端末保持フレームが備えている「上保持部」及び「下保持部」は、それぞれ複数でタブレット端末を保持するものであっても、単一でタブレット端末を保持するものであっても良い。
【００１１】
本構成のタブレット端末ホルダーをダッシュボードの凹状スペースに設置するには、基体をダッシュボードの凹状スペースに挿入した状態で、ベース板の雌ネジ部に螺合している雄ネジ部を回して前進させ、雌ネジ部を貫通させた上で雄ネジ部の先端を凹状スペースの上面に押し当てる。これにより、雄ネジ部及びベース板を介して、基体を凹状スペースの下面（設置面）に押圧する力が作用し、基体が凹状スペース内に固定される。ベース板は、支持部によって設置面より高い位置に支持されているため、ベース板の下方の空間に手を差し入れて、雄ネジ部の操作をすることができる。
【００１２】
基体には端末保持フレームが取り付けられており、端末保持フレームは、下保持部及び上保持部の少なくとも一方が弾性変形する構成である。そのため、下保持部と上保持部との間にタブレット端末を押し込むようにすれば、弾性変形によって下保持部と上保持部との間隔が広がって、その間にタブレット端末を挿入することができ、弾性復元力によって下保持部と上保持部との間にタブレット端末が挟持される。一方、下保持部と上保持部とでタブレット端末を挟持している力に抗してタブレット端末を手前に引けば、弾性変形によって下保持部と上保持部との間隔が広がって、タブレット端末を端末保持フレームから取り外すことができる。
【００１３】
従って、本構成のタブレット端末ホルダーによれば、ダッシュボードの凹状スペースに基体を固定し、端末保持フレームにタブレット端末を着脱することにより、タブレット端末を着脱可能に車両内部に取り付けることができる。そして、端末保持フレームに対するタブレット端末の着脱は、下保持部及び上保持部の少なくとも一方の弾性変形を利用したものであるため、容易かつ速やかにタブレット端末を着脱させることができる。
【００１４】
本発明にかかるタブレット端末ホルダーは、上記構成に加え、「前記端末保持フレームは、前記ベース板に平行な支軸によって回動可能に前記基体に支持されている一対の縦フレームを有しており、一対の該縦フレームの少なくとも一方は、前記支軸を中心とする円弧状の外形を呈した円弧状部を有していると共に、該円弧状部の外周に沿って形成された複数の凹部を有しており、前記基体は、該基体から突出しており、前記端末保持フレームの前記支軸周りの回動に伴い複数の前記凹部の一つと係合し、前記端末保持フレームの回動角度を複数段階で規制する凸部を有している」ものとすることができる。
【００１５】
本構成では、端末保持フレームが一対の縦フレームを有しており、この縦フレームは支軸によって回動可能に基体に支持されているため、端末保持フレームが支軸周りに回動する。端末保持フレームが支軸周りに回動すると、これに伴い、基体から突出した凸部は、円弧状部の外周に沿って相対的に移動する。円弧状部には外周に沿って複数の凹部が形成されているため、円弧状部の外周に沿って移動している凸部が凹部の位置に至ると、その凹部と係合し、それ以上の回動に対する抵抗となる。その抵抗力に抗して端末保持フレームを更に回動させれば、凸部は円弧状部の外周に沿って更に移動し、次の凹部と係合してそれ以上の回動に対する抵抗となる。
【００１６】
従って、上記構成の本発明によれば、基体に対する端末保持フレームの角度を変化させ、凸部と凹部とが係合したときの角度で保持することができる。また、凹部は複数形成されているため、凸部と係合させる凹部の選択によって、端末保持フレームの角度を複数段階で調整することができる。これにより、端末保持フレームに装着されたタブレット端末を、画面が見やすい角度や、使用者が操作しやすい角度に調整することができる。
【００１７】
なお、円弧状部及び凹部は、一対の縦フレームの一方のみが有するものであっても、双方が有するものであっても良いが、双方が有する場合は、円弧状部の形状、凹部の数や位置は同一とする。また、その場合、円弧状部及び凹部と凸部との位置関係も同一とする。
【００１８】
本発明にかかるタブレット端末ホルダーは、上記構成に加え「前記雌ネジ部を貫通した前記雄ネジ部の先端に螺合させる第二雌ネジ部、及び、該第二雌ネジ部から前記雄ネジ部と同一方向に延びた軸棒部を有している補助ネジを更に具備する」ものとすることができる。
【００１９】
上記構成により、基体をダッシュボードの凹状スペースに固定するに当たり、雄ネジ部の長さが足りないときに、雄ネジ部に補助ネジを連結することにより全長を長くすることができる。これにより、タブレット端末ホルダーを固定する対象となるダッシュボードの凹状スペースの範囲を、広げることができる。なお、補助ネジの軸棒部は、雄ネジ部に連結されて全長を長くすることができれば形状は特に限定されず、円柱状や多角柱状であっても良いし、外周に雄ネジが形成されたものであっても良い。
【発明の効果】
【００２０】
以上のように、本発明の効果として、タブレット端末を着脱可能に車両内部に取り付けることができるタブレット端末ホルダーを提供することができる。
【図面の簡単な説明】
【００２１】
【図１】本発明の一実施形態であるタブレット端末ホルダーの斜視図である。
【図２】図１のタブレット端末ホルダーにおける上保持部の形状を示す図である。
【図３】図１のタブレット端末ホルダーが車両のダッシュボードの凹状スペースに固定された状態を示す側面図である。
【図４】図１のタブレット端末ホルダーにおける端末保持フレームの回動を説明する側面図である。
【図５】図１のタブレット端末ホルダーにおける円弧状部近傍の説明図である。
【図６】図１のタブレット端末ホルダーの平面図である。
【発明を実施するための形態】
【００２２】
以下、本発明の一実施形態であるタブレット端末ホルダー１について、図１乃至図６に基づいて説明する。
【００２３】
本実施形態のタブレット端末ホルダー１は、平板状のベース板１１、及びベース板１１を設置面より高い位置に支持する支持部１２を備えており、車両のダッシュボードの凹状スペース５０に挿入される基体１０と、ベース板１１に設けられた雌ネジ部１４にベース板１１の下方から螺合し、雌ネジ部１４を貫通して進退する雄ネジ部３０と、タブレット端末４０の下端縁を保持する下保持部２７、及び、タブレット端末４０の上端縁を保持する上保持部２１を備えて基体１０に取り付けられており、下保持部２７及び上保持部２１の少なくとも一方の弾性変形により下保持部２７と上保持部２１との間隔が広がる端末保持フレーム２０とを、具備している。
【００２４】
より詳細に説明すると、基体１０は、平板状で外形が略四角形のベース板１１と、ベース板１１の対向する一対の辺をそれぞれ支持する一対の平板状の支持部１２とを備えており、一対の支持部１２とベース板１１とでＨ字形を呈している。端末保持フレーム２０は、一対の細長い平板状の縦フレーム２５と、一対の縦フレーム２５を連結する一枚のパネル２３とを備えている。一対の縦フレーム２５は、それぞれの一端側を一対の支持部１２の一方の外側面に重畳させた状態で、それぞれベース板１１に平行な支軸２６によって回動自在に支持部１２に留め付けられている。支持部１２における支軸２６の位置は、一方の端部の近傍である。以下、タブレット端末ホルダー１において、支持部１２が延びる方向を前後方向とし、支持部１２において支軸２６が位置する端部側を「前方」と称して説明する。
【００２５】
一対の縦フレーム２５において、支軸２６側の端部はそれぞれ支持部１２側とは反対側に屈曲した鉤状であり、この鉤状の部分で下保持部２７を構成している。すなわち、本実施形態では、一対の縦フレーム２５の端部にそれぞれ形成された一対の下保持部２７を備えている。
【００２６】
上保持部２１は、縦フレーム２５とは別体であり、主に図２及び図３に示す様に、細長い板状で比較的幅広に形成された上保持部本体２１ａと、上保持部本体２１ａの一端から鉤状に屈曲した鉤状部２１ｂと、上保持部本体２１ａの他端から細く延出した延出部２１ｃとを有している。上保持部２１は、鉤状部２１ｂが下保持部２７の鉤状の部分と対向するように、一対の縦フレーム２５それぞれに対して支軸２６側とは反対側の端部に固定されている。具体的には、延出部２１ｃ及びその近傍の上保持部本体２１ａを縦フレーム２５の内側面に重畳させた状態で、上保持部本体２１ａの延出部２１ｃ側の端部、及び、延出部２１ｃの先端部が、それぞれピン２２ａ，２２ｂによって縦フレーム２５に留め付けられている。すなわち、本実施形態では、一対の縦フレーム２５において、下保持部２７とは反対側の端部にそれぞれ形成された、一対の上保持部２１を備えている。
【００２７】
ベース板１１には、前方側の辺の近傍に、貫通孔の内周面に雄ネジ部３０と螺合するネジ溝が刻まれた雌ネジ部１４が形成されている。また、ベース板１１は、前方側の一辺に沿って中央が凹状に切り欠かれている。
【００２８】
雄ネジ部３０の頭部３０ａは、外周に歯車状の凹凸が形成されており、大径である。このため、図６に示すように、ベース板１１の下方から雄ネジ部３０を雌ネジ部１４に螺合させると、ベース板１１の切り欠かれた辺から雄ネジ部３０の頭部３０ａの一部が露呈する。
【００２９】
一対の縦フレーム２５は、それぞれ支軸２６を中心とする円弧状の外形を呈した円弧状部２４を有していると共に、円弧状部２４の外周に沿って形成された四つの凹部２４ａ，２４ｂ，２４ｃ，２４ｄを有している。また、基体１０は、基体１０から突出し、端末保持フレーム２０の支軸２６周りの回動に伴い四つの凹部２４ａ〜２４ｄの一つと係合し、端末保持フレーム２０の回動角度を規制する凸部１３を有している。
【００３０】
具体的には、図４及び図５に示すように、円弧状部２４は、縦フレーム２５の下保持部２７側の端部において、支持部１２側の輪郭が支軸２６を中心とする円弧状を呈している部分である。更に、この円弧状の外周に沿って、それぞれ円弧状に切り欠かれた四つの凹部２４ａ〜２４ｄを有している。これらの凹部２４ａ〜２４ｄの内、両外側の凹部２４ａ及び凹部２４ｄは略半円形で、残りの２つの凹部２４ｂ、凹部２４ｃよりも凹みが深い。加えて、凹部２４ａ及び凹部２４ｄは、それぞれ内側より外側が、凹みが深く形成されている。
【００３１】
凸部１３は、Ｌ字形を呈するＬ字材１５と一体化されている。このＬ字材１５は、Ｌ字をなす二つの部分の一方が幅広に、他方が細く形成されており、幅広の部分の先端に凸部１３が固着されている。Ｌ字材１５は、一対の支持部１２それぞれの前方の端部で内側面に重畳させた状態で、Ｌ字の屈曲部分の近傍でピン１９によって支持部１２に留め付けられていると共に、凸部１３を有していない細い部分の端部で、Ｌ字の外側となる面が、支持部１２の内側面から突出した突起１７に当接している。凸部１３は、支持部１２に設けられた長孔１８を貫通し、支持部１２から外方に突出している。
【００３２】
更に、本実施形態のタブレット端末ホルダー１は、雌ネジ部１４を貫通した雄ネジ部３０の先端に螺合させる第二雌ネジ部３１ａ、及び、第二雌ネジ部３１ａから雄ネジ部３０と同一方向に延びた軸棒部３１ｂを有している補助ネジ３１を具備している。
【００３３】
具体的には、補助ネジ３１の軸棒部３１ｂは、外周に雄ネジを有している。一方、ベース板１１には、貫通孔の内周に軸棒部３１ｂの雄ネジと螺合する雌ネジが刻まれた補助ネジ固定雌ネジ１６が形成されている。これにより、補助ネジ３１は、未使用時にはベース板１１に備えられた補助ネジ固定雌ネジ１６に、保持させておくことができる。
【００３４】
上記構成のタブレット端末ホルダー１では、基体１０、端末保持フレーム２０、これと一体の下保持部２７、上保持部２１、及びＬ字材１５は、何れも樹脂製であり、特に、上保持部２１及びＬ字材１５は、他の部分より弾性に富んだ樹脂で形成されている。
【００３５】
次に、本実施形態のタブレット端末ホルダー１をダッシュボードの凹状スペース５０に固定する方法について、主に図３を用いて説明する。まず、基体１０を凹状スペース５０に挿入し、ベース板１１の下方から雌ネジ部１４に螺合させた雄ネジ部３０を回して前進させる。このとき、ベース板１１は、一対の支持部１２によって凹状スペース５０の下面より高い位置に支持されているため、ベース板１１の下方の空間に手を差し入れて、雄ネジ部３０の操作をすることができる。また、雄ネジ部３０の頭部３０ａは、ベース板１１の切り欠かれた部分から一部が露呈しているため、雄ネジ部３０の頭部３０ａを回す操作がし易い。更に、雄ネジ部３０の頭部３０ａは、大径で外周に歯車状の凹凸が形成されているため、工具を使用する必要なく、手操作で容易に雄ネジ部３０を回すことができる。
【００３６】
雄ネジ部３０の前進によりその先端を凹状スペース５０の上面に押し当てると、ベース板１１を介して支持部１２が凹状スペース５０の下面に押圧され、基体１０が凹状スペース５０内に固定される。雄ネジ部３０の長さが足りない場合は、雄ネジ部３０に補助ネジ３１を連結させ、全長を長くする。なお、雄ネジ部３０または補助ネジ３１の先端に、ネジキャップ３２を被せておくことができる。ネジキャップ３２が、ゴムなど弾性に富んだ材料で形成されたものであれば、凹状スペース５０の上面との接触面積が増え、より強固にタブレット端末ホルダー１を固定することができると共に、雄ネジ部３０または補助ネジ３１の先端がネジ込まれることによる凹状スペース５０の上面の損傷を、抑制することができる。
【００３７】
次に、本実施形態のタブレット端末ホルダー１に対するタブレット端末４０の着脱について説明する。タブレット端末４０を端末保持フレーム２０に装着する際は、上保持部２１と下保持部２７の間にタブレット端末４０を押し込むように操作する。タブレット端末４０が押し込まれる力により、上保持部２１の鉤状部２１ｂは上保持部本体２１ａに対して開くように弾性変形する。また、上保持部２１はピン２２ａ，２２ｂによって２箇所で縦フレーム２５に留め付けられているため、ピン２２ａ，２２ｂの軸周りの自由な回動は規制されているものの、細く形成された延出部２１ｃが弾性変形して僅かに撓むことにより、上保持部本体２１ａがピン２２ａの軸周りに僅かに回動する。従って、タブレット端末４０が押し込まれる力によって、上保持部２１と下保持部２７との間隔が広がり、両者間にタブレット端末４０を挿入することができる。そして、弾性復元力によって、上保持部２１と下保持部２７との間隔が元に戻ることにより、上保持部２１と下保持部２７とによってタブレット端末４０が挟持される。
【００３８】
一方、タブレット端末４０を取り外す際は、上保持部２１と下保持部２７とがタブレット端末４０を挟持している力に抗して、タブレット端末４０を手前に引く操作を行う。これにより、上記と同様に主に上保持部２１の弾性変形により上保持部２１と下保持部２７との間隔が広がり、タブレット端末４０を取り外すことができる。
【００３９】
次に、本実施形態のタブレット端末ホルダー１において、端末保持フレーム２０の角度を調整する方法について、図４及び図５を用いて説明する。端末保持フレーム２０を支軸２６周りに回動させると、円弧状部２４の外周に沿って凸部１３が相対的に移動する。凸部１３が固着されたＬ字材１５は、突起１７によってピン１９の軸周りの自由な回動が規制されているが、凸部１３が円弧状部２４の外周に沿った位置にあるときに、Ｌ字の角度が僅かに小さくなるような弾性変形をするように、ピン１９及び突起１７の位置決めがなされている。ここで、Ｌ字材１５は、Ｌ字をなす二つの部分の一方が幅広に、他方が細く形成されているため、細い部分が弾性変形し易い。このようなＬ字材１５の弾性変形により、円弧状部２４の外周に沿って相対的に移動しているときの凸部１３は（図５（ｂ）参照）、弾性変形したＬ字材１５が元に復帰しようとする方向、すなわち、Ｌ字材１５のＬ字の角度が広がる方向に付勢された状態にある。
【００４０】
円弧状部２４には、四つの凹部２４ａ〜２４ｄが形成されており、その内の一つの凹部（例えば、凹部２４ｃ）の位置に凸部１３が到達すると、凸部１３はＬ字材１５の付勢によって円弧の内側に向かって押され、凹部２４ｃと係合する。凸部１３と凹部２４ｃとの係合は回動に対する抵抗となるため、端末保持フレーム２０の回動角度がその角度で保持される。Ｌ字材１５の付勢に抗して端末保持フレーム２０を支軸２６周りに回動させると、凸部１３は凹部２４ｃを越え、再び円弧状部２４の外周に沿って相対的に移動する。支持部１２に内側面側で支持されているＬ字材１５に固着された凸部１３を支持部１２から外方に突出させるために、支持部１２に設けられている貫通孔は長孔１８であるため、このようなＬ字材１５の付勢による凸部１３の変位を妨げることがない。
【００４１】
本実施形態では、上記のように、四つの凹部２４ａ〜２４ｄの内の両外側の凹部２４ａ，２４ｄは凹みが深い。加えて凹部２４ａ，２４ｄは、それぞれ内側より外側の凹みが深く形成されており、外側の深さは、凸部１３がその深さの凹部を越える程にはＬ字材１５が弾性変形しない程度に設定されている。従って、本実施形態では、凹部２４ａと凹部２４ｄとの間を凸部１３が相対的に移動する範囲で、端末保持フレーム２０の角度を四段階で調整することができる。なお、凸部１３が凹部２４ｄと係合したとき、縦フレーム２５と支持部１２とのなす角度がほぼ１８０度となるように、凹部２４ｄの位置が設定されている（図４（ｃ）及び図５（ｃ）参照）。従って、凹状スペース５０内に固定したタブレット端末ホルダー１をこのように展開することにより、凹状スペース５０内の余剰のスペースに他の物品を収容したり取り出したりすることができる。また、凹状スペース５０から取り外したタブレット端末ホルダー１をこのように展開することにより、嵩張ることなく携帯したり収納したりすることができる。
【００４２】
以上のように、本実施形態のタブレット端末ホルダー１よれば、基体１０をダッシュボードの凹状スペース５０に挿入し、雄ネジ部３０を回して前進させるのみの容易な操作で凹状スペース５０に固定されるため、容易に車内に装着することができる。また、雄ネジ部３０の頭部３０ａは大径で、外周に凹凸が形成されているため、工具を使用する必要なく手操作で容易に雄ネジ部３０を回すことができる。
【００４３】
加えて、雄ネジ部３０に連結し、全長を長くすることのできる補助ネジ３１を具備するため、タブレット端末ホルダー１を固定する対象となる凹状スペース５０の範囲が広い。また、ベース板１１には、補助ネジ固定雌ネジ１６が設けられているため、補助ネジ３１を使用しない時に、補助ネジ３１を紛失するおそれが低減されている。
【００４４】
また、端末保持フレーム２０に対するタブレット端末４０の着脱は、主に上保持部２１の弾性変形を利用したものであるため、タブレット端末４０の着脱にボルト等の操作が必要な場合とは異なり、極めて容易かつ速やかに、タブレット端末４０を着脱することができる。
【００４５】
更に、端末保持フレーム２０は基体１０に対して回動し、四つの凹部２４ａ〜２４ｄがそれぞれ凸部１３と係合した角度で、端末保持フレーム２０の回動角度が保持される。これにより、凸部１３と係合させる凹部の選択により、端末保持フレーム２０に保持されたタブレット端末４０の角度を容易に調整することができる。また、本実施形態では、端末保持フレーム２０と支持部１２とのなす角度がほぼ１８０度となるように展開できるため、凹状スペース５０内の余剰のスペースが利用し易いと共に、凹状スペース５０から取り外したタブレット端末ホルダー１を嵩張ることなく携帯したり収納したりすることができる。
【００４６】
そして、本実施形態のタブレット端末ホルダー１によれば、タブレット端末４０を着脱可能に車両内部に取り付けることができるため、タブレット端末４０を車両内と車両外とで兼用し、最新の地図情報を利用するカーナビゲーションシステムとして、或いは、音楽ファイルや画像ファイルを再生するカーオーディオシステムとして使用することができる。また、タブレット端末用に提供されている種々のアプリケーションソフトを利用することで、種々のサービスを車両内部でも享受することができる。
【００４７】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４８】
例えば、本発明の実施形態では、ネジやピン等を除き殆どの構成が樹脂製である場合を例示したが、上保持部と下保持部の少なくとも一方が弾性材料で形成されていれば、他の部分の材料は特に限定されず、金属、木材、セラミックス等を用いることができる。
【符号の説明】
【００４９】
１      タブレット端末ホルダー
１０    基体
１１    ベース板
１２    支持部
１３    凸部
１４    雌ネジ部
２０    端末保持フレーム
２１    上保持部
２４    円弧状部
２４ａ，２４ｂ，２４ｃ，２４ｄ  凹部
２５    縦フレーム
２６    支軸
２７    下保持部
３０    雄ネジ部
３１    補助ネジ
３１ａ  第二雌ネジ部
３１ｂ  軸棒部
４０    タブレット端末
５０    凹状スペース
【図１】
2015047966.tif 000003
【図２】
2015047966.tif 000004
【図３】
2015047966.tif 000005
【図４】
2015047966.tif 000006
【図５】
2015047966.tif 000007
【図６】
2015047966.tif 000008